(57)【要約】【課題】トナーのほぐし期間を適正に決定する。【解決手段】画像形成装置１は、搬送部材１２１、モーター１２２、ロック検出部１６１、カウント部１６２、回数決定部１６３、判定部１６４、及び駆動停止部１６５を備える。搬送部材１２１は、トナーコンテナ１３１に収容されたトナーを画像形成部１４に補給する。モーター１２２は、搬送部材１２１を回転させる。ロック検出部１６１は、モーター１２２のロックを検出する。カウント部１６２は、モーター１２２のロック回数ＮＲをカウントする。回数決定部１６３は、トナーコンテナ１３１の放置期間ＰＤに基づいて、ロック回数ＮＲの上限回数ＮＸを決定する。判定部１６４は、ロック回数ＮＲが上限回数ＮＸに到達したか否かを判定する。駆動停止部１６５は、判定部１６４の判定結果に基づいて、モーター１２２を停止する。【選択図】図３
2018017819.tif 000002
【特許請求の範囲】
【請求項１】
記録媒体に画像を形成する画像形成ユニットと、
トナーコンテナに収容されたトナーを前記画像形成ユニットに補給する回転部材と、
前記回転部材を回転させるモーターと、
前記モーターのロックを検出するロック検出部と、
前記モーターのロック回数をカウントするカウント部と、
前記トナーコンテナの放置期間に基づいて、前記ロック回数の上限回数を決定する回数決定部と、
前記ロック回数が前記上限回数に到達したか否かを判定する判定部と、
前記判定部の判定結果に基づいて前記モーターを停止する駆動停止部と
を備える、画像形成装置。
【請求項２】
前記判定部の判定結果に基づいて、ユーザーに異常情報を報知する報知部を更に備える、請求項１に記載の画像形成装置。
【請求項３】
前記回数決定部は、前記トナーコンテナの放置期間に応じて第１補正回数を決定し、所定回数と前記第１補正回数との和を前記上限回数として決定する、請求項１又は請求項２に記載の画像形成装置。
【請求項４】
前記回数決定部は、前記トナーコンテナに収容されたトナー残量に基づいて、前記上限回数を決定する、請求項１から請求項３のいずれか１項に記載の画像形成装置。
【請求項５】
前記回数決定部は、前記トナーコンテナの放置期間に応じて第１補正回数を決定すると共に、前記トナー残量に応じて第２補正回数を決定し、所定回数と前記第１補正回数と前記第２補正回数との和を前記上限回数として決定する、請求項４に記載の画像形成装置。
【請求項６】
記録媒体に画像を形成する画像形成ユニットと、
トナーコンテナに収容されたトナーを前記画像形成ユニットに補給する回転部材と、
前記回転部材を回転させるモーターと、
前記モーターのロックを検出するロック検出部と、
前記モーターのロック回数をカウントするカウント部と、
前記トナーコンテナのトナー残量に基づいて、前記ロック回数の上限回数を決定する回数決定部と、
前記ロック回数が前記上限回数に到達したか否かを判定する判定部と、
前記判定部の判定結果に基づいて、前記モーターを停止する駆動停止部と
を備える、画像形成装置。
【請求項７】
記録媒体に画像を形成する画像形成ユニットと、
トナーコンテナに収容されたトナーを前記画像形成ユニットに補給する回転部材と、
前記回転部材を回転させるモーターと、
前記モーターの駆動を開始した時点から第１所定期間が経過したことに応じて、前記トナーの前記画像形成ユニットへの補給が完了したか否かを判定する第１判定部と、
前記第１判定部の判定結果に基づいて、前記トナーコンテナが装着されてからの印刷枚数を取得する枚数取得部と、
前記印刷枚数が零枚であるか否かを判定する第２判定部と、
前記第２判定部の判定結果に基づいて、ユーザーに前記トナーコンテナを振る旨を報知する報知部と
を備える、画像形成装置。
【請求項８】
前記第１判定部の判定結果に基づいて、印刷日時を取得する日時取得部と、
前記印刷日時からの経過期間が第２所定期間以上であるか否かを判定する第３判定部と
を更に備え、
前記第３判定部の判定結果に基づいて、前記報知部はユーザーに前記トナーコンテナを振る旨を報知する、請求項７に記載の画像形成装置。
【請求項９】
前記報知部がユーザーに前記トナーコンテナを振る旨を報知した後、前記トナーコンテナが取り外されたか否かを判定する第４判定部を更に備え、
前記トナーコンテナが取り外されたと前記第４判定部が判定した後、前記第１判定部の判定結果に基づいて、前記報知部は、ユーザーに異常が発生している旨を報知する、請求項７又は請求項８に記載の画像形成装置。
【発明の詳細な説明】
【技術分野】
【０００１】
本発明は、画像形成装置に関する。
【背景技術】
【０００２】
特許文献１に記載の画像形成装置は、トナーを攪拌する回転部材と、回転部材を回転させるモーターとを備える。電源を投入するとモーターの目標回転数を第１の回転数に決定する。そして、所定時間が経過してモーターの実際の回転数が目標回転数に到達していない場合には、目標回転数を第１の回転数から第２の回転数に変更する。その後、所定時間が経過してモーターの実際の回転数が目標回転数に到達した場合には、目標回転数を第２の回転数から第１の回転数に変更する。更に所定時間が経過してモーターの実際の回転数が目標回転数に到達した場合には、ユーザーからの要求に応じて画像の形成を開始する。
【０００３】
特許文献２に記載の画像形成装置は、搬送部材、モーター、検知部、及び制御部を備える。搬送部材は、トナーコンテナに収容されたトナーを排出口に向けて搬送する。モーターは、搬送部材を回転させる。検知部は、モーターの回転を検知する。制御部は、モーターに対して駆動指令信号を送信し、且つ検知部からモーターの回転検知信号を受信する。また、制御部は、モーターに対する駆動指令信号を送信後、所定時間内にモーターの回転検知信号を受信しないことを条件として、モーターが過負荷状態であると判定する。
【先行技術文献】
【特許文献】
【０００４】
【特許文献１】特開２０１１−３９２４１号公報
【特許文献２】特開２０１２−１９８３５９号公報
【発明の概要】
【発明が解決しようとする課題】
【０００５】
しかしながら、特許文献１に記載の画像形成装置では、回転部材を回転させることによってトナーをほぐす期間が適正ではない場合がある。トナーをほぐす期間を、「ほぐし期間」と記載する。例えば、トナーの凝集が進行していない場合には、ほぐし期間が殆ど必要ではないため、ほぐし期間が長すぎる可能性がある。逆に、トナーの凝集が進行している場合には、長いほぐし期間が必要であるため、ほぐし期間が短すぎる可能性がある。その結果、画像の形成を開始できない可能性がある。
【０００６】
また、特許文献２に記載の画像形成装置では、モーターの過負荷状態を解消できない場合がある。例えば、予備のトナーコンテナが長期間放置されていた場合には、トナーコンテナ内でトナーが凝集している可能性がある。このような場合には、予備のトナーコンテナが装着された際に、モーターの過負荷状態を解消できない。
【０００７】
本発明は、上記課題に鑑みてなされたものであり、ほぐし期間を適正に決定する画像形成装置を提供することを目的としている。
本発明の他の目的は、トナーを搬送するモーターの過負荷状態を解消する画像形成装置を提供することである。
【課題を解決するための手段】
【０００８】
本発明の第１局面の画像形成装置は、画像形成部、回転部材、モーター、ロック検出部、カウント部、回数決定部、判定部、及び駆動停止部を備える。前記画像形成部は、記録媒体に画像を形成する。前記回転部材は、トナーコンテナに収容されたトナーを前記画像形成部に補給する。前記モーターは、前記回転部材を回転させる。前記ロック検出部は、前記モーターのロックを検出する。前記カウント部は、前記モーターのロック回数をカウントする。前記回数決定部は、前記トナーコンテナの放置期間に基づいて、前記ロック回数の上限回数を決定する。前記判定部は、前記ロック回数が前記上限回数に到達したか否かを判定する。前記駆動停止部は、前記判定部の判定結果に基づいて、前記モーターを停止する。
【０００９】
本発明の第２局面の画像形成装置は、画像形成部、回転部材、モーター、ロック検出部、カウント部、回数決定部、判定部、及び駆動停止部を備える。前記画像形成部は、記録媒体に画像を形成する。前記回転部材は、トナーコンテナに収容されたトナーを前記画像形成部に補給する。前記モーターは、前記回転部材を回転させる。前記ロック検出部は、前記モーターのロックを検出する。前記カウント部は、前記モーターのロック回数をカウントする。前記回数決定部は、前記トナーコンテナのトナー残量に基づいて、前記ロック回数の上限回数を決定する。前記判定部は、前記ロック回数が前記上限回数に到達したか否かを判定する。前記駆動停止部は、前記判定部の判定結果に基づいて、前記モーターを停止する。
【００１０】
本発明の第３局面の画像形成装置は、画像形成部、回転部材、モーター、第１判定部、枚数取得部、第２判定部、及び報知部を備える。前記画像形成部は、記録媒体に画像を形成する。前記回転部材は、トナーコンテナに収容されたトナーを前記画像形成部に補給する。前記モーターは、前記回転部材を回転させる。前記第１判定部は、前記モーターの駆動を開始した時点から第１所定期間が経過したことに応じて、前記トナーの前記画像形成部への補給が完了したか否かを判定する。前記枚数取得部は、前記第１判定部の判定結果に基づいて、前記トナーコンテナが装着されてからの印刷枚数を取得する。前記第２判定部は、前記印刷枚数が零枚であるか否かを判定する。前記報知部は、前記第２判定部の判定結果に基づいて、ユーザーに前記トナーコンテナを振る旨を報知する。
【発明の効果】
【００１１】
本発明の画像形成装置によれば、ほぐし期間を適正に決定できる。また、トナーを搬送するモーターの過負荷状態を解消できる。
【図面の簡単な説明】
【００１２】
【図１】本発明の第１実施形態に係る画像形成装置の構成を示す図である。
【図２】第１実施形態に係る画像形成装置の補給部の構成を示す図である。
【図３】第１実施形態に係る画像形成装置の制御部の構成を示す図である。
【図４】（ａ）第１実施形態に係る画像形成装置の制御部が決定する第１補正回数を示す図である。（ｂ）第１実施形態に係る画像形成装置の制御部が決定する第２補正回数を示す図である。
【図５】第１実施形態に係る画像形成装置の回数決定処理を示すフローチャートである。
【図６】第１実施形態に係る画像形成装置の判定処理を示すフローチャートである。
【図７】本発明の第２実施形態に係る画像形成装置の制御部の構成を示す図である。
【図８】第２実施形態に係る画像形成装置のトナーコンテナのＩＣチップを示す図である。
【図９】第２実施形態に係る画像形成装置の処理の前段を示すフローチャートである。
【図１０】第２実施形態に係る画像形成装置の処理の後段を示すフローチャートである。
【発明を実施するための形態】
【００１３】
以下、本発明の実施形態について、図面（図１〜図１０）を参照しながら説明する。なお、図中、同一又は相当部分については同一の参照符号を付して説明を繰り返さない。
【００１４】
＜第１実施形態＞
図１〜図６を参照して、本発明の第１実施形態に係る画像形成装置１について説明する。図１は、画像形成装置１の構成を示す図である。図１に示すように、画像形成装置１は、カラー複写機である。
【００１５】
画像形成装置１は、用紙Ｐ（記録媒体）上に画像を形成する。具体的には、画像形成装置１は、給紙部１１、補給ユニット１２Ｕ、搬送部Ｌ、トナー供給ユニット１３、画像形成ユニット１４Ｕ、定着部１７、排出部１８、操作表示部１９、及び、制御部１６を備える。
【００１６】
給紙部１１は、用紙Ｐを搬送部Ｌに供給する。搬送部Ｌは、用紙Ｐを、定着部１７を経由して排出部１８まで搬送する。
【００１７】
トナー供給ユニット１３は、画像形成ユニット１４Ｕにトナーを供給する。トナー供給ユニット１３は、トナーコンテナ１３１ｙ、トナーコンテナ１３１ｃ、トナーコンテナ１３１ｍ、及びトナーコンテナ１３１ｋを備える。トナーコンテナ１３１ｙは、イエロー色のトナーを収容する。トナーコンテナ１３１ｃは、シアン色のトナーを収容する。トナーコンテナ１３１ｍは、マゼンタ色のトナーを収容する。トナーコンテナ１３１ｋは、ブラック色のトナーを収容する。以下の説明において、トナーコンテナ１３１ｙ〜トナーコンテナ１３１ｋをトナーコンテナ１３１と総称する場合がある。
【００１８】
画像形成ユニット１４Ｕは、用紙Ｐに画像を形成する。具体的には、画像形成ユニット１４Ｕは、画像形成部１４ｙ、画像形成部１４ｃ、画像形成部１４ｍ、画像形成部１４ｋ、及び転写部１５を含む。画像形成部１４ｙには、トナーコンテナ１３１ｙからイエロー色のトナーが供給される。画像形成部１４ｃには、トナーコンテナ１３１ｃからシアン色のトナーが供給される。画像形成部１４ｍには、トナーコンテナ１３１ｍからマゼンタ色のトナーが供給される。画像形成部１４ｋには、トナーコンテナ１３１ｋからブラック色のトナーが供給される。画像形成部１４ｙ〜画像形成部１４ｋの各々は、トナーによってトナー像を形成する。画像形成部１４ｙ〜画像形成部１４ｋを画像形成部１４と総称する場合がある。
【００１９】
画像形成部１４ｙ、画像形成部１４ｃ、画像形成部１４ｍ、及び画像形成部１４ｋは、それぞれ、トナー残量センサー１４１ｙ、トナー残量センサー１４１ｃ、トナー残量センサー１４１ｍ、及びトナー残量センサー１４１ｋを備える。トナー残量センサー１４１ｙは、トナーコンテナ１３１ｙに収容されたトナーの残量Ｑｙ（以下、「トナー残量Ｑｙ」と記載する。）を検出する。トナー残量センサー１４１ｃは、トナーコンテナ１３１ｃに収容されたトナーの残量Ｑｃ（以下、「トナー残量Ｑｃ」と記載する。）を検出する。トナー残量センサー１４１ｍは、トナーコンテナ１３１ｍに収容されたトナーの残量Ｑｍ（以下、「トナー残量Ｑｍ」と記載する。）を検出する。トナー残量センサー１４１ｋは、トナーコンテナ１３１ｋに収容されたトナーの残量Ｑｋ（以下、「トナー残量Ｑｋ」と記載する。）を検出する。トナー残量Ｑｙ〜トナー残量Ｑｋをトナー残量Ｑと総称する場合がある。
【００２０】
トナー残量センサー１４１ｙ〜トナー残量センサー１４１ｋは、それぞれ、トナーコンテナ１３１ｙ〜トナーコンテナ１３１ｋに配置される。また、トナー残量センサー１４１ｙ〜トナー残量センサー１４１ｋは、それぞれ、トナー残量Ｑｙ〜トナー残量Ｑｋを光学的に検出する。なお、例えば、トナー残量センサー１４１ｙは、トナーコンテナ１３１ｙ内のトナーを攪拌するモーター（図示省略）の負荷に基づいてトナー残量Ｑｙを検出してもよい。トナー残量センサー１４１ｃ〜トナー残量センサー１４１ｋについても同様である。また、例えば、トナー残量センサー１４１ｙに換えて、制御部１６が、印字のドット数に基づいてトナー消費量を求め、トナー消費量からトナー残量Ｑｙを検出してもよい。更に、例えば、制御部１６が、トナー供給モーターの回転時間（又は回転数）の積算値に基づいてトナー残量Ｑｙを検出してもよい。これらの技術は、トナー残量Ｑｃ〜トナー残量Ｑｋの検出にも適用できる。
【００２１】
転写部１５は、中間転写ベルト１５４を備える。画像形成部１４ｙ〜画像形成部１４ｋが、それぞれ、中間転写ベルト１５４にトナー像を転写する。複数個のトナー像が、中間転写ベルト１５４上で重畳され、中間転写ベルト１５４上に画像が形成される。転写部１５は、中間転写ベルト１５４上に形成された画像を、用紙Ｐに転写する。その結果、用紙Ｐ上に画像が形成される。
【００２２】
補給ユニット１２Ｕは、トナーコンテナ１３１から画像形成ユニット１４Ｕにトナーを供給する。具体的には、補給ユニット１２Ｕは、補給部１２ｙ、補給部１２ｃ、補給部１２ｍ、及び補給部１２ｋを備える。補給部１２ｙは、トナーコンテナ１３１ｙから画像形成部１４ｙにトナーを供給する。同様に、補給部１２ｃ、補給部１２ｍ、及び補給部１２ｋは、それぞれ、トナーコンテナ１３１ｃ、トナーコンテナ１３１ｍ、及びトナーコンテナ１３１ｋから画像形成部１４ｃ、画像形成部１４ｍ、及び画像形成部１４ｋにトナーを供給する。補給部１２ｙ〜補給部１２ｋを、補給部１２と総称する場合がある。
【００２３】
定着部１７は、用紙Ｐを加熱及び加圧し、用紙Ｐに形成された画像を用紙Ｐに定着する。排出部１８は、用紙Ｐを画像形成装置１の外部へ排出する。操作表示部１９は、ユーザーからの操作を受け付けると共に、種々の情報を表示する。操作表示部１９は、表示部１９１を備える。表示部１９１は、例えば、ＬＣＤ（Ｌｉｑｕｉｄ  Ｃｒｙｓｔａｌ  Ｄｉｓｐｌａｙ）を備え、種々の情報を表示する。
【００２４】
制御部１６は、プロセッサー１６Ａ、及び記憶部１６Ｂを備え、画像形成装置１の動作を制御する。プロセッサー１６Ａは、例えば、ＣＰＵ（Ｃｅｎｔｒａｌ  Ｐｒｏｃｅｓｓｉｎｇ  Ｕｎｉｔ）を含む。記憶部１６Ｂは、例えば、半導体メモリーを含み、ＨＤＤ（Ｈａｒｄ  Ｄｉｓｋ  Ｄｒｉｖｅ）を含んでもよい。記憶部１６Ｂは、制御プログラムを記憶する。プロセッサー１６Ａは、記憶部１６Ｂから制御プログラムを読み出して実行し、画像形成装置１の動作を制御する。
【００２５】
次に、図２を参照して、補給部１２の構成について説明する。図２は、補給部１２の構成を示す図である。図２に示すように、補給部１２は、搬送部材１２１、及びモーター１２２を備える。
【００２６】
搬送部材１２１は、トナーコンテナ１３１に収容されたトナーを画像形成部１４に搬送する。搬送部材１２１は、「回転部材」に相当する。搬送部材１２１は、例えば、スクリュー、又はインペラー（羽根）を含む。
【００２７】
モーター１２２は、搬送部材１２１を回転させる。
【００２８】
次に、図３を参照して、画像形成装置１の制御部１６の構成について説明する。図３は、制御部１６の構成を示す図である。図３に示すように、制御部１６は、ロック検出部１６１、カウント部１６２、回数決定部１６３、判定部１６４、駆動停止部１６５、報知部１６６、残量取得部１６７、及び期間取得部１６８を備える。具体的には、制御部１６のプロセッサー１６Ａが、記憶部１６Ｂから制御プログラムを読み出して実行し、ロック検出部１６１、カウント部１６２、回数決定部１６３、判定部１６４、駆動停止部１６５、報知部１６６、残量取得部１６７、及び期間取得部１６８として機能する。
【００２９】
ロック検出部１６１、カウント部１６２、回数決定部１６３、判定部１６４、駆動停止部１６５、報知部１６６、残量取得部１６７、及び期間取得部１６８は、それぞれ、４色のトナーごとに以下に示す処理を実行する。
【００３０】
ロック検出部１６１は、モーター１２２のロックを検出する。「ロック」とは、モーター１２２の回転数ＮＭが目標回転数ＮＴ未満であることを示す。回転数ＮＭは、所定期間当たりの回転数を示す。所定期間は、例えば、１分間を示す。目標回転数ＮＴは、所定期間当たりの回転数の目標値を示す。ロック検出部１６１は、例えば、モーター１２２の回転数ＮＭが零（ゼロ）である場合に、モーター１２２のロックを検出する。また、ロック検出部１６１は、例えば、モーター１２２の回転数ＮＭが目標回転数ＮＴの半分以下である場合に、モーター１２２のロックを検出する。モーター１２２は、例えば、エンコーダーを備える。エンコーダーは、モーター１２２の回転軸の回転数ＮＭを検出する。
【００３１】
カウント部１６２は、モーター１２２のロック回数ＮＲをカウントする。ロック回数ＮＲは、モーター１２２がロックした回数を示す。
【００３２】
残量取得部１６７は、トナーコンテナ１３１のトナー残量Ｑを取得する。具体的には、残量取得部１６７は、トナー残量センサー１４１からトナー残量Ｑを取得する。
【００３３】
期間取得部１６８は、トナーコンテナ１３１の放置期間ＰＤを取得する。放置期間ＰＤは、トナーコンテナ１３１からトナーが画像形成部１４に補給された時点からの経過期間を示す。
【００３４】
回数決定部１６３は、放置期間ＰＤに基づいて、ロック回数ＮＲの上限回数ＮＸを決定する。
【００３５】
判定部１６４は、ロック回数ＮＲが上限回数ＮＸに到達したか否かを判定する。
【００３６】
駆動停止部１６５は、判定部１６４の判定結果に基づいて、モーター１２２を停止する。具体的には、駆動停止部１６５は、ロック回数ＮＲが上限回数ＮＸに到達したと判定部１６４が判定した場合に、モーター１２２の駆動を停止する。
【００３７】
報知部１６６は、判定部１６４の判定結果に基づいて、ユーザーに異常情報を報知する。具体的には、報知部１６６は、ロック回数ＮＲが上限回数ＮＸに到達したと判定部１６４が判定した場合に、ユーザーに異常情報を報知する。
【００３８】
以上、図１から図３を参照して説明したように、回数決定部１６３は、放置期間ＰＤに基づいて、ロック回数ＮＲの上限回数ＮＸを決定する。また判定部１６４は、ロック回数ＮＲが上限回数ＮＸに到達したか否かを判定する。更に、駆動停止部１６５は、判定部１６４の判定結果に基づいて、モーター１２２を停止する。放置期間ＰＤが長い程、トナーコンテナ１３１内のトナーの凝集が進行している可能性が高い。よって、放置期間ＰＤに基づいて上限回数ＮＸを決定するため、上限回数ＮＸとして適正な回数を決定できる。また、判定部１６４の判定結果に基づいてモーター１２２を停止するため、モーター１２２を適正なタイミングで停止できる。したがって、「ほぐし期間」を適正に決定できる。「ほぐし期間」は、モーター１２２を回転する期間を示す。
【００３９】
第１実施形態では、回数決定部１６３が、放置期間ＰＤに基づいてロック回数ＮＲの上限回数ＮＸを決定するが、本発明はこれに限定されない。回数決定部１６３が、トナー残量Ｑに基づいてロック回数ＮＲの上限回数ＮＸを決定する形態でもよい。トナー残量Ｑが多い程、トナーコンテナ１３１内のトナーの凝集が進行し易い。よって、トナー残量Ｑに基づいて上限回数ＮＸを決定するため、上限回数ＮＸとして適正な回数を決定できる。
【００４０】
次に、図３及び図４を参照して、回数決定部１６３の処理について具体的に説明する。図４（ａ）は、回数決定部１６３が決定する第１補正回数Ｎ１を示す図である。図４（ｂ）は、回数決定部１６３が決定する第２補正回数Ｎ２を示す図である。
【００４１】
まず、図４（ａ）を参照して、放置期間ＰＤと第１補正回数Ｎ１との関係について説明する。例えば、放置期間ＰＤが、３日間未満である場合には、第１補正回数Ｎ１は零（ゼロ）である。放置期間ＰＤが、３日間以上６日間未満である場合には、第１補正回数Ｎ１は５０回である。放置期間ＰＤが、６日間以上９日間未満である場合には、第１補正回数Ｎ１は７０回である。このように、回数決定部１６３は、放置期間ＰＤが長い程、第１補正回数Ｎ１を多い回数に決定する。
【００４２】
次に、図４（ｂ）を参照して、トナー残量Ｑと第２補正回数Ｎ２との関係について説明する。例えば、トナー残量Ｑが１０％未満である場合には、第２補正回数Ｎ２は零（ゼロ）である。トナー残量Ｑが１０％以上であって２０％未満である場合には、第２補正回数Ｎ２は５０回である。トナー残量Ｑが２０％以上であって３０％未満である場合には、第２補正回数Ｎ２は７０回である。このように、回数決定部１６３は、トナー残量Ｑが多い程、第２補正回数Ｎ２を多い回数に決定する。
【００４３】
回数決定部１６３は、具体的には、放置期間ＰＤに応じて第１補正回数Ｎ１を決定し、トナー残量Ｑに応じて第２補正回数Ｎ２を決定する。また、回数決定部１６３は、所定回数ＮＡと第１補正回数Ｎ１と第２補正回数Ｎ２との和を上限回数ＮＸとして決定する。回数決定部１６３は、次の（１）式を用いて、上限回数ＮＸを決定する。
ＮＸ＝ＮＡ＋Ｎ１＋Ｎ２      （１）
【００４４】
次に、図３、及び図５を参照して、「回数決定処理」について説明する。「回数決定処理」は、上限回数ＮＸを制御部１６が決定する処理を示す。図５は、制御部１６の「回数決定処理」を示すフローチャートである。図５に示すように、回転数決定処理は、ステップＳ１０１〜ステップＳ１０９を含む。そして、制御部１６は、４色のトナーごとに、回転数決定処理を実行する。
【００４５】
ステップＳ１０１において、期間取得部１６８が放置期間ＰＤを取得する。
そして、ステップＳ１０３において、回数決定部１６３が、放置期間ＰＤに応じて第１補正回数Ｎ１を決定する。
次に、ステップＳ１０５において、残量取得部１６７が、トナー残量Ｑを取得する。
そして、ステップＳ１０７において、回数決定部１６３が、トナー残量Ｑに応じて第２補正回数Ｎ２を決定する。
次に、ステップＳ１０９において、回数決定部１６３が、所定回数ＮＡと第１補正回数Ｎ１と第２補正回数Ｎ２との和を上限回数ＮＸとして決定し、処理が終了する。
【００４６】
以上、図３〜図５を参照して説明したように、回数決定部１６３は、放置期間ＰＤに応じて第１補正回数Ｎ１を決定し、トナー残量Ｑに応じて第２補正回数Ｎ２を決定する。また、回数決定部１６３は、所定回数ＮＡと第１補正回数Ｎ１と第２補正回数Ｎ２との和を上限回数ＮＸとして決定する。よって、放置期間ＰＤの長短とトナー残量Ｑの多少とを反映した上限回数ＮＸを決定できる。また、放置期間ＰＤが長い程、トナーコンテナ１３１内のトナーの凝集が進行している可能性が高い。トナー残量Ｑが多い程、トナーコンテナ１３１内のトナーの凝集が進行し易い。したがって、回数決定部１６３は、簡素な構成で、上限回数ＮＸとして適正な回数を決定できる。
【００４７】
第１実施形態では、所定回数ＮＡと第１補正回数Ｎ１と第２補正回数Ｎ２との和を上限回数ＮＸとして決定したが、本発明はこれに限定されない。例えば、回数決定部１６３が、放置期間ＰＤに応じて第１補正回数Ｎ１を決定し、所定回数ＮＡと第１補正回数Ｎ１との和を上限回数ＮＸとして決定する形態でもよい。また、例えば、回数決定部１６３が、トナー残量Ｑに応じて第２補正回数Ｎ２を決定し、所定回数ＮＡと第２補正回数Ｎ２との和を上限回数ＮＸとして決定する形態でもよい。これらの形態では、回数決定部１６３の処理を削減できるため、更に簡素な構成で、上限回数ＮＸを決定できる。
【００４８】
次に、図３及び図６を参照して、「判定処理」について説明する。「判定処理」は、ロック回数ＮＲが上限回数ＮＸに到達したか否かを判定する処理を示す。図６は、制御部１６の「判定処理」を示すフローチャートである。図６に示すように、判定処理は、ステップＳ２０１〜ステップＳ２０９を含む。そして、制御部１６は、４色のトナーごとに、判定処理を実行する。
【００４９】
図６に示すように、ステップＳ２０１において、ロック検出部１６１がモーター１２２のロックを検出したか否かを判定する。
モーター１２２のロックを検出していないとロック検出部１６１が判定した場合（ステップＳ２０１でＮＯ）には、処理が待機状態になる。モーター１２２のロックを検出したとロック検出部１６１が判定した場合（ステップＳ２０１でＹＥＳ）には、処理がステップＳ２０３に進む。
そして、ステップＳ２０３において、カウント部１６２が、ロック回数ＮＲを１回だけインクリメントする。
次に、ステップＳ２０５において、判定部１６４が、ロック回数ＮＲが上限回数ＮＸに到達したか否かを判定する。
ロック回数ＮＲが上限回数ＮＸに到達していないと判定部１６４が判定した場合（ステップＳ２０５でＮＯ）には、処理がステップＳ２０１にリターンされる。ロック回数ＮＲが上限回数ＮＸに到達したと判定部１６４が判定した場合（ステップＳ２０５でＹＥＳ）には、処理がステップＳ２０７に進む。
【００５０】
そして、ステップＳ２０７において、駆動停止部１６５が、モーター１２２の駆動を停止する。
次に、ステップＳ２０９において、報知部１６６が、ユーザーに異常情報を報知し、処理が終了する。
【００５１】
以上、図３及び図６を参照して説明したように、ロック回数ＮＲが上限回数ＮＸに到達したと判定部１６４が判定した場合に、駆動停止部１６５が、モーター１２２の駆動を停止し、報知部１６６が、ユーザーに異常情報を報知する。よって、「ほぐし期間」を経過しても、モーター１２２のロックが発生する場合に、ユーザーに異常情報を報知するため、ユーザーは、異常の発生を確認できる。報知部１６６は、例えば、トナーコンテナ１３１を振る旨をユーザーに報知する。したがって、適正なタイミングで、ユーザーにトナーコンテナ１３１を振らせることができる。また、ユーザーにトナーコンテナ１３１を振らせることによって、トナーの凝集を解消できる。
【００５２】
＜第２実施形態＞
次に、図７〜図１０を参照して、本発明の第２実施形態に係る画像形成装置１Ａについて説明する。図７は、画像形成装置１Ａの制御部１６の構成を示す図である。図７に示すように、画像形成装置１Ａは、第１実施形態に係る画像形成装置１と比較して、制御部１６の機能が相違している。第２実施形態に係る画像形成装置１Ａの制御部１６の機能以外の構成は、図１に示す第１実施形態に係る画像形成装置１と略同一であるため、その説明を省略する。
【００５３】
具体的には、画像形成装置１の制御部１６が、ロック検出部１６１、カウント部１６２、回数決定部１６３、判定部１６４、駆動停止部１６５、報知部１６６、残量取得部１６７、及び期間取得部１６８を備えるのに対して、画像形成装置１Ａの制御部１６が、図７に示すように、下記の機能を備える点で相違する。
【００５４】
すなわち、画像形成装置１Ａの制御部１６は、第１判定部１６１Ａ、枚数取得部１６２Ａ、第２判定部１６３Ａ、報知部１６４Ａ、日時取得部１６５Ａ、第３判定部１６６Ａ、及び第４判定部１６７Ａを備える。具体的には、制御部２１のプロセッサー２１Ａが、記憶部２１Ｂから制御プログラムを読み出して実行し、第１判定部１６１Ａ、枚数取得部１６２Ａ、第２判定部１６３Ａ、報知部１６４Ａ、日時取得部１６５Ａ、第３判定部１６６Ａ、及び第４判定部１６７Ａとして機能する。
【００５５】
また、第１判定部１６１Ａ、枚数取得部１６２Ａ、第２判定部１６３Ａ、報知部１６４Ａ、日時取得部１６５Ａ、第３判定部１６６Ａ、及び第４判定部１６７Ａは、それぞれ、４色のトナーごとに以下に示す処理を実行する。
【００５６】
画像形成装置１Ａは、リーダー１６Ｃを備える。トナーコンテナ１３１は、ＩＣ（Ｉｎｔｅｇｒａｔｅｄ  Ｃｉｒｃｕｉｔ）チップ１３２を備える。ＩＣチップ１３２は記憶部１３３を備える。リーダー１６Ｃは、記憶部１３３に記憶された情報を読み出す。
【００５７】
記憶部１３３は、印刷日時情報及び印刷枚数情報を記憶する。印刷日時情報が示す印刷日時ＴＰは、トナーコンテナ１３１が画像形成装置１Ａに装着された後、最新の印刷ジョブが実行された日時を示す。印刷枚数情報が示す印刷枚数ＮＰは、トナーコンテナ１３１が画像形成装置１Ａに装着された時点以降の印刷枚数の累計枚数を示す。
【００５８】
第１判定部１６１Ａは、モーター１２２の駆動を開始した時点から第１所定期間ＰＳ１が経過したことに応じて、トナーの画像形成部１４への補給が完了したか否かを判定する。例えば、モーター１２２の駆動を開始した時点から第１所定期間ＰＳ１が経過したときに、第１判定部１６１Ａは、トナーコンテナ１３１から画像形成部１４へのトナーの補給が完了したか否かを判定する。第１所定期間ＰＳ１は、例えば、１分間である。
【００５９】
枚数取得部１６２Ａは、第１判定部１６１Ａの判定結果に基づいて、トナーコンテナ１３１が装着されてからの印刷枚数ＮＰを取得する。例えば、モーター１２２の駆動を開始した時点から第１所定期間ＰＳ１が経過し、且つ、トナーコンテナ１３１から画像形成部１４へのトナーの補給が完了していないと第１判定部１６１Ａが判定した場合に、枚数取得部１６２Ａは、以下の処理を行う。すなわち、枚数取得部１６２Ａは、記憶部１３３から印刷枚数ＮＰを読み出して印刷枚数ＮＰを取得する。
【００６０】
第２判定部１６３Ａは、印刷枚数ＮＰが零（ゼロ）枚であるか否かを判定する。
【００６１】
日時取得部１６５Ａは、第１判定部１６１Ａの判定結果に基づいて、印刷日時ＴＰを取得する。具体的には、モーター１２２の駆動を開始した時点から第１所定期間ＰＳ１が経過したときに、トナーコンテナ１３１から画像形成部１４へのトナーの補給が完了していないと第１判定部１６１Ａが判定した場合に、日時取得部１６５Ａは、以下の処理を行う。すなわち、日時取得部１６５Ａは、記憶部１３３から印刷日時ＴＰを読み出して印刷日時ＴＰを取得する。
【００６２】
第３判定部１６６Ａは、印刷日時ＴＰからの経過期間ＰＴが第２所定期間ＰＳ２以上であるか否かを判定する。第２所定期間ＰＳ２は、例えば、１０日間である。
【００６３】
報知部１６４Ａは、第２判定部１６３Ａの判定結果に基づいて、ユーザーにトナーコンテナ１３１を振る旨を報知する。例えば、印刷枚数ＮＰが零枚であると第２判定部１６３Ａが判定した場合に、報知部１６４Ａは、ユーザーにトナーコンテナ１３１を振る旨を報知する。
【００６４】
更に、報知部１６４Ａは、第３判定部１６６Ａの判定結果に基づいて、ユーザーにトナーコンテナ１３１を振る旨を報知する。例えば、印刷日時ＴＰからの経過期間ＰＴが第２所定期間ＰＳ２以上であると第３判定部１６６Ａが判定した場合に、報知部１６４Ａは、ユーザーにトナーコンテナ１３１を振る旨を報知する。
【００６５】
第４判定部１６７Ａは、報知部１６４Ａがユーザーにトナーコンテナ１３１を振る旨を報知した後、トナーコンテナ１３１が取り外されたか否かを判定する。第４判定部１６７Ａは、例えば、リーダー１６Ｃを介して、トナーコンテナ１３１が取り外されたか否かを判定する。具体的には、リーダー１６Ｃが記憶部１３３から情報を読み出せない場合に、第４判定部１６７Ａは、トナーコンテナ１３１が取り外されたと判定する。
【００６６】
トナーコンテナ１３１が取り外されたと第４判定部１６７Ａが判定した後、第１判定部１６１Ａの判定結果に基づいて、報知部１６４Ａは、ユーザーに異常が発生している旨を報知する。具体的には、モーター１２２の駆動を開始した時点から第１所定期間ＰＳ１が経過し、且つ、トナーコンテナ１３１から画像形成部１４へのトナーの補給が完了していないと第１判定部１６１Ａが判定した場合に、報知部１６４Ａは、以下の処理を行う。すなわち、報知部１６４Ａは、ユーザーに異常が発生している旨を報知する。
【００６７】
以上、図７を参照して説明したように、モーター１２２の駆動を開始した時点から第１所定期間ＰＳ１が経過したときに、第１判定部１６１Ａはトナーコンテナ１３１から画像形成部１４へのトナーの補給が完了したか否かを判定する。そして、トナーの補給が完了していないと第１判定部１６１Ａが判定した場合に、枚数取得部１６２Ａは、印刷枚数ＮＰを取得する。第２判定部１６３Ａは、印刷枚数ＮＰが零（ゼロ）枚であるか否かを判定する。印刷枚数ＮＰが零枚であると第２判定部１６３Ａが判定した場合に、報知部１６４Ａは、トナーコンテナ１３１を振る旨をユーザーに報知する。
【００６８】
印刷枚数ＮＰが零枚であることは、トナーコンテナ１３１が新品であることを示す。また、トナーコンテナ１３１が新品であるにも拘らず、トナーコンテナ１３１から画像形成部１４へのトナーの補給が完了しなかったということは、トナーコンテナ１３１のトナーが凝集していることを示す。したがって、トナーコンテナ１３１を振る旨をユーザーに報知することで、トナーの凝集を解消することができる。その結果、トナーを搬送するモーター１２２の過負荷状態を解消できる。
【００６９】
次に、リーダー１６Ｃ及びＩＣチップ１３２について説明する。図８は、トナーコンテナ１３１のＩＣチップ１３２を示す図である。図８に示すように、画像形成装置１Ａは、コンテナ装着部１３４を備える。コンテナ装着部１３４には、リーダー１６Ｃが配置されている。また、トナーコンテナ１３１は、ＩＣチップ１３２を備える。ＩＣチップ１３２は、リーダー１６Ｃと対向する位置に配置される。
【００７０】
次に、図３、図９、及び図１０を参照して、画像形成装置１Ａの制御部１６の処理を説明する。図９、及び図１０は、画像形成装置１Ａの制御部１６の処理を示すフローチャートである。図９、及び図１０に示すように、制御部１６の処理は、ステップＳ３０１〜ステップＳ３２７を含む。そして、制御部１６は、４色のトナーごとに、処理を実行する。
【００７１】
図９に示すように、まず、ステップＳ３０１において、制御部１６からの指示に応じて、モーター１２２の回転駆動が開始する。
次に、ステップＳ３０３において、第１判定部１６１Ａが、モーター１２２の駆動を開始した時点から第１所定期間ＰＳ１が経過したか否かを判定する。
モーター１２２の駆動を開始した時点から第１所定期間ＰＳ１が経過していないと第１判定部１６１Ａが判定した場合（ステップＳ３０３でＮＯ）には、処理が待機状態になる。モーター１２２の駆動を開始した時点から第１所定期間ＰＳ１が経過したと第１判定部１６１Ａが判定した場合（ステップＳ３０３でＹＥＳ）には、処理がステップＳ３０５に進む。
【００７２】
そして、ステップＳ３０５において、第１判定部１６１Ａが、トナーの画像形成部１４への補給が完了したか否かを判定する。
トナーの画像形成部１４への補給が完了したと第１判定部１６１Ａが判定した場合（ステップＳ３０５でＹＥＳ）には、処理が終了する。トナーの画像形成部１４への補給が完了していないと第１判定部１６１Ａが判定した場合（ステップＳ３０５でＮＯ）には、処理がステップＳ３０７に進む。
【００７３】
そして、ステップＳ３０７において、枚数取得部１６２Ａが、トナーコンテナ１３１が装着されてからの印刷枚数ＮＰを取得する。
次に、ステップＳ３０９において、第２判定部１６３Ａが、印刷枚数ＮＰが零枚であるか否かを判定する。
印刷枚数ＮＰが零枚ではないと第２判定部１６３Ａが判定した場合（ステップＳ３０９でＮＯ）には、処理がステップＳ３１５に進む。印刷枚数ＮＰが零枚であると第２判定部１６３Ａが判定した場合（ステップＳ３０９でＹＥＳ）には、処理がステップＳ３１１に進む。
【００７４】
そして、ステップＳ３１１において、日時取得部１６５Ａが、前回の印刷日時ＴＰを取得する。
次に、ステップＳ３１３において、第３判定部１６６Ａが、印刷日時ＴＰからの経過期間ＰＴが第２所定期間ＰＳ２以上であるか否かを判定する。
経過期間ＰＴが第２所定期間ＰＳ２以上であると第３判定部１６６Ａが判定した場合（ステップＳ３１３でＹＥＳ）には、処理がステップＳ３１７に進む。経過期間ＰＴが第２所定期間ＰＳ２以上ではないと第３判定部１６６Ａが判定した場合（ステップＳ３１３でＮＯ）には、処理がステップＳ３１５に進む。
【００７５】
そして、ステップＳ３１５において、報知部１６４Ａは、トナーコンテナ１３１が空である旨をユーザーに報知する。報知部１６４Ａは、例えば、表示部１９１に「イエロー色のトナーコンテナが空になりました。新しいトナーコンテナと交換してください。」と表示する。そして、処理が終了する。
ステップＳ３１３でＹＥＳの場合には、ステップＳ３１７において、報知部１６４Ａは、トナーコンテナ１３１を振る旨をユーザーに報知する。報知部１６４Ａは、例えば、表示部１９１に「トナーコンテナ内でイエロー色のトナーが固まりました。イエロー色のトナーコンテナを振ってください。」と表示する。
【００７６】
次に、図１０に示すように、ステップＳ３１９において、第４判定部１６７Ａは、トナーコンテナ１３１が取り外されたか否かを判定する。
トナーコンテナ１３１が取り外されていないと第４判定部１６７Ａが判定した場合（ステップＳ３１９でＮＯ）には、処理が待機状態になる。トナーコンテナ１３１が取り外されたと第４判定部１６７Ａが判定した場合（ステップＳ３１９でＹＥＳ）には、処理がステップＳ３２１に進む。
そして、ステップＳ３２１において、制御部１６からの指示に応じて、モーター１２２の駆動が開始する。
【００７７】
次に、ステップＳ３２３において、第１判定部１６１Ａが、モーター１２２の駆動を開始した時点から第１所定期間ＰＳ１が経過したか否かを判定する。
モーター１２２の駆動を開始した時点から第１所定期間ＰＳ１が経過していないと第１判定部１６１Ａが判定した場合（ステップＳ３２３でＮＯ）には、処理が待機状態になる。モーター１２２の駆動を開始した時点から第１所定期間ＰＳ１が経過したと第１判定部１６１Ａが判定した場合（ステップＳ３２３でＹＥＳ）には、処理がステップＳ３２５に進む。
そして、ステップＳ３２５において、第１判定部１６１Ａが、トナーの画像形成部１４への補給が完了したか否かを判定する。
トナーの画像形成部１４への補給が完了したと第１判定部１６１Ａが判定した場合（ステップＳ３２５でＹＥＳ）には、処理が終了する。トナーの画像形成部１４への補給が完了していないと第１判定部１６１Ａが判定した場合（ステップＳ３２５でＮＯ）には、処理がステップＳ３２７に進む。
そして、ステップＳ３２７において、報知部１６４Ａは、異常が発生している旨をユーザーに報知する。報知部１６４Ａは、例えば、画像形成装置１Ａの表示部１９１に「異常が発生しました。サービスマンに電話してください。」と表示する。そして、処理が終了する。
【００７８】
以上、図７〜図１０を参照して説明したように、モーター１２２の駆動を開始した時点から第１所定期間ＰＳ１が経過したときに、第１判定部１６１Ａはトナーコンテナ１３１から画像形成部１４へのトナーの補給が完了したか否かを判定する。そして、トナーの補給が完了していないと第１判定部１６１Ａが判定した場合に、日時取得部１６５Ａは、印刷日時ＴＰを取得する。また、第３判定部１６６Ａは、印刷日時ＴＰからの経過期間ＰＴが第２所定期間ＰＳ２以上であるか否かを判定する。そして、経過期間ＰＴが第２所定期間ＰＳ２以上であると第３判定部１６６Ａが判定した場合に、報知部１６４Ａは、トナーコンテナ１３１を振る旨をユーザーに報知する。
【００７９】
印刷日時ＴＰからの経過期間ＰＴが第２所定期間ＰＳ２以上である場合には、トナーコンテナ１３１から画像形成部１４へのトナーの補給が第２所定期間ＰＳ２以上行われていない。よって、トナーコンテナ１３１のトナーが凝集している可能性が高い。したがって、ユーザーにトナーコンテナ１３１を振る旨を報知することで、トナーの凝集を解消することができる。その結果、トナーを搬送するモーター１２２の過負荷状態を解消できる。
【００８０】
また、第４判定部１６７Ａは、トナーコンテナ１３１を振る旨を報知部１６４Ａがユーザーに報知した後、トナーコンテナ１３１が取り外されたか否かを判定する。トナーコンテナ１３１が取り外されたと第４判定部１６７Ａが判定した後、第１判定部１６１Ａの判定結果に基づいて、報知部１６４Ａは、異常が発生している旨をユーザーに報知する。例えば、トナーの画像形成部１４への補給が完了していないと第１判定部１６１Ａが判定した場合に、報知部１６４Ａは、異常が発生している旨をユーザーに報知する。
【００８１】
トナーコンテナ１３１を振る旨を報知部１６４Ａがユーザーに報知した後、トナーコンテナ１３１が取り外された場合には、ユーザーがトナーコンテナ１３１を振るためにトナーコンテナ１３１を取り外したと推定できる。よって、ユーザーがトナーコンテナ１３１を振ったにも拘らず、トナーの画像形成部１４への補給が完了しない場合には、「何等かの異常」が発生している可能性が高い。「何等かの異常」とは、例えば、モーター１２２の故障のように、トナーコンテナ１３１からトナーを画像形成部１４へ補給できなくなるような異常である。したがって、異常が発生している旨をユーザーに報知することによって、ユーザーは、異常の発生を的確に認識することができる。
【００８２】
図９及び図１０では、以下の２つの条件Ａ及び条件Ｂを満たす場合に、トナーコンテナ１３１を振る旨を報知部１６４Ａがユーザーに報知するが、本発明はこれに限定されない。
条件Ａ：印刷枚数ＮＰが零枚であると第２判定部１６３Ａが判定した。
条件Ｂ：経過期間ＰＴが第２所定期間ＰＳ２以上であると第３判定部１６６Ａが判定した。
例えば、条件Ａ又は条件Ｂを満たす場合に、トナーコンテナ１３１を振る旨を報知部１６４Ａがユーザーに報知する形態でもよい。
【００８３】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（２））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００８４】
（１）図１を参照して説明したように、画像形成装置１、１Ａはカラー複写機であるが、本発明はこれに限定されない。画像形成装置１、１Ａがモノクロ複写機である形態でもよい。また、画像形成装置１、１Ａが複合機である形態でもよい。
【００８５】
（２）図１〜図３を参照して説明したように、ロック検出部１６１がモーター１２２の回転数ＮＭに基づいてロックを検出するが、本発明はこれに限定されない。ロック検出部１６１が、例えば、モーター１２２の過電流に基づいてロックを検出する形態でもよい。
【産業上の利用可能性】
【００８６】
本発明は、画像形成装置に利用可能である。
【符号の説明】
【００８７】
１    画像形成装置
１２（１２ｙ、１２ｃ、１２ｍ、１２ｋ）    補給部
１２１    搬送部材（回転部材）
１２２    モーター
１３１（１３１ｙ、１３１ｃ、１３１ｍ、１３１ｋ）    トナーコンテナ
１４（１４ｙ、１４ｃ、１４ｍ、１４ｋ）    画像形成部
１４１（１４１ｙ、１４１ｃ、１４１ｍ、１４１ｋ）    トナー残量センサー
１６    制御部
１６１    ロック検出部
１６２    カウント部
１６３    回数決定部
１６４    判定部
１６５    駆動停止部
１６６    報知部
１６７    残量取得部
１６８    期間取得部
１９    操作表示部
１９１    表示部
１Ａ    画像形成装置
１２（１２ｙ、１２ｃ、１２ｍ、１２ｋ）    補給部
１２１    搬送部材（回転部材）
１２２    モーター
１３１（１３１ｙ、１３１ｃ、１３１ｍ、１３１ｋ）    トナーコンテナ
１３２  ＩＣメモリー
１３３  記憶部
１４（１４ｙ、１４ｃ、１４ｍ、１４ｋ）    画像形成部
１４１（１４１ｙ、１４１ｃ、１４１ｍ、１４１ｋ）    トナー残量センサー
１６    制御部
１６Ｃ    リーダー
１６１Ａ    第１判定部
１６２Ａ    枚数取得部
１６３Ａ    第２判定部
１６４Ａ    報知部
１６５Ａ    日時取得部
１６６Ａ    第３判定部
１６７Ａ    第４判定部
１９    操作表示部
１９１    表示部
【図１】
2018017819.tif 000003
【図２】
2018017819.tif 000004
【図３】
2018017819.tif 000005
【図４】
2018017819.tif 000006
【図５】
2018017819.tif 000007
【図６】
2018017819.tif 000008
【図７】
2018017819.tif 000009
【図８】
2018017819.tif 000010
【図９】
2018017819.tif 000011
【図１０】
2018017819.tif 000012